(57)【要約】【課題】配線基板が載置台上において位置ずれすることなく、配線基板を確実に載置台上に固定し、ひいては電子機器と配線基板との接続時における配線基板の位置ずれの発生を防止して、電子機器と配線基板との接続不良の発生を防止する。【解決手段】フレキシブル配線基板２の一部分を載置する載置台５と、載置台５上に配置され、載置台５に載置されているフレキシブル配線基板２の被載置部に対して水平方向に接離可能に移動するとともに、前記被載置部に対して押圧可能に回動するクランプ１０とを有し、クランプ１０が、フレキシブル配線基板２の被載置部に接している状態において、フレキシブル配線基板２の被載置部を押圧する。【選択図】      図２
2008160036.tif 000002
【特許請求の範囲】
【請求項１】
電子機器に接続される配線基板を固定する配線基板固定治具において、
前記配線基板の一部分を載置する載置台と、
前記載置台上に配置され、前記載置台に載置されている前記配線基板の被載置部に対して水平方向に接離可能に移動するとともに、前記被載置部に対して押圧可能に回動するクランプを有し、
前記クランプが、前記被載置部に接している状態において、前記配線基板の前記被載置部を押圧することを特徴とする配線基板固定治具。
【請求項２】
前記クランプと前記載置台との間に設けられ、前記クランプから所定の間隙をもって対向して配置されるスライダと、
前記スライダの接離移動を案内する案内部と、
前記クランプと前記スライダとの間に配設され、前記クランプを前記スライダとは逆の方向に付勢する圧縮ばねと、
前記クランプにおける前記配線基板を押圧する押圧部と前記圧縮ばねとの間に配置され、前記クランプに固着されるとともに前記スライダに回動可能に支持されて前記クランプと前記スライダとを連結し、前記クランプの押圧動作の中心軸となる回動軸とを有し、
前記クランプは、前記スライダとともに接離移動を行う請求項１に記載の配線基板固定治具。
【請求項３】
前記クランプの前記配線基板に近接する方向への移動位置を規制する前端ストッパと、
前記クランプの前記配線基板から離間する方向への移動位置を規制する後端ストッパとを有する請求項１または２に記載の配線基板固定治具。
【請求項４】
前記配線基板の前記被載置部を前記載置台に吸着する吸着機構が設けられている請求項１乃至３のいずれか１項に記載の配線基板固定治具。
【発明の詳細な説明】
【技術分野】
【０００１】
本発明は、電子機器に接続される配線基板を固定する配線基板固定治具に関する。
【背景技術】
【０００２】
従来より、例えば、表示パネル等の電子機器に電力を供給する手段として、折曲可能であり、取扱いが容易である等の観点から、配線基板としてフレキシブル配線基板が多用されている。ここで、表示パネルとフレキシブル配線基板との各電極端子の接続不良を防止するため、この表示パネルとフレキシブル配線基板とを電気的に接続する工程においては、フレキシブル配線基板を固定する配線基板固定治具が用いられている。
【０００３】
このような配線基板固定治具は、フレキシブル配線基板を載置する載置部を備えた載置台を有し、載置部には、フレキシブル配線基板を真空吸着するための吸着口が形成されている。そして、配線基板固定治具は、吸着口に連通する吸引通路から載置台とフレキシブル配線基板との間に介在する空気を吸引することにより、吸着口によってフレキシブル配線基板を載置部に吸着させて固定するようになっている。
【発明の開示】
【発明が解決しようとする課題】
【０００４】
しかし、前述のように吸着することによりフレキシブル配線基板を固定する配線基板固定治具によれば、例えば、チップ部品等が多数実装されているようなフレキシブル配線基板を固定する場合、フレキシブル配線基板におけるチップ部品等が実装されている箇所は吸着することができないため、フレキシブル配線基板において吸着可能な領域が狭くなってしまうこととなる。このため、前記配線基板固定治具によってフレキシブル配線基板を吸着するのみでは、フレキシブル配線基板を載置台上に確実に固定することができないおそれがあるという問題を有していた。
【０００５】
また、近年、フレキシブル配線基板の形状の多様化等により、表示パネルに接続されるフレキシブル配線基板として、種々の形状のフレキシブル配線基板が用いられるようになっている。例えば、表示パネルの全周縁に対向するように表示パネルを囲み、表示パネルの端子部に対向する一部分が表示パネルの端子部に電気的に接続される形状のフレキシブル配線基板が用いられている。
【０００６】
このような形状のフレキシブル配線基板を前述の配線基板固定治具によって固定する場合、フレキシブル配線基板の一部分のみを載置台に載置することが可能であり、フレキシブル配線基板における他の部分は載置台から張り出してしまうこととなる。このような場合、配線基板固定治具は、フレキシブル配線基板における載置台に載置された一部分を吸着することによりフレキシブル配線基板を載置台における載置部に固定するようになっている。しかし、フレキシブル配線基板における載置台に載置された一部分を吸着して固定しても、例えば、フレキシブル配線基板における載置台から張り出している部分に外力が加わると、フレキシブル配線基板が載置台上において位置ずれしてしまい、フレキシブル配線基板を載置台上に確実に固定することができないおそれがあった。
【０００７】
そして、載置台上においてフレキシブル配線基板が位置ずれしてしまうと、表示パネルの各電極端子に対するフレキシブル配線基板の各電極端子の位置がずれてしまい、この結果、フレキシブル配線基板と表示パネルとの接続不良が発生してしまう問題があった。
【０００８】
本発明はこれらの点に鑑みてなされたものであり、配線基板が載置台上において位置ずれすることなく、配線基板を確実に載置台上に固定し、ひいては電子機器と配線基板との接続時における配線基板の位置ずれの発生を防止して、電子機器と配線基板との接続不良の発生を防止することが可能な配線基板固定治具を提供することを目的とする。
【課題を解決するための手段】
【０００９】
前記目的を達成するため、本発明に係る配線基板固定治具の特徴は、電子機器に接続される配線基板を固定する配線基板固定治具において、前記配線基板の一部分を載置する載置台と、前記載置台上に配置され、前記載置台に載置されている前記配線基板の被載置部に対して水平方向に接離可能に移動するとともに、前記被載置部に対して押圧可能に回動するクランプを有し、前記クランプが、前記被載置部に接している状態において、前記配線基板の前記被載置部を押圧する点にある。
【００１０】
この本発明に係る配線基板固定治具によれば、クランプを配線基板の被載置部に対して接して、載置台上に載置された配線基板の一端部分をクランプによって押圧することにより、クランプと載置台とによって配線基板を挟持して、配線基板を載置台に確実に固定することができる。
【００１１】
また、前記本発明において、前記クランプと前記載置台との間に設けられ、前記クランプから所定の間隙をもって対向して配置されるスライダと、前記スライダの接離移動を案内する案内部と、前記クランプと前記スライダとの間に配設され、前記クランプを前記スライダとは逆の方向に付勢する圧縮ばねと、前記クランプにおける前記配線基板を押圧する押圧部と前記圧縮ばねとの間に配置され、前記クランプに固着されるとともに前記スライダに回動可能に支持されて前記クランプと前記スライダとを連結し、前記クランプの押圧動作の中心軸となる回動軸とを有し、前記クランプは、前記スライダとともに接離移が行えるようにするとよい。このように、案内部に案内されて載置部に対して接離移動するスライダがクランプに連結されていることにより、スライダとともにクランプが被載置部に対して接離移動することができるとともに、圧縮ばねの付勢力によってクランプが回動軸を中心軸として押圧動作を行い、配線基板を所定の圧力をもって押圧することができる。
【００１２】
さらに、前記クランプの前記配線基板に近接する方向への移動位置を規制する前端ストッパと、前記クランプの前記配線基板から離間する方向への移動位置を規制する後端ストッパとを有するとよい。このように、前端ストッパと後端ストッパとによってクランプの接離移動の位置を規制することにより、クランプが配線基板を確実に押圧することができるとともに、載置台から外れてしまうのを防止することができる。
【００１３】
さらにまた、前記載置台に、前記配線基板における前記被載置部を吸着する吸着機構が設けられているとよい。このように、クランプによって配線基板を押圧するとともに、吸着機構によって載置台に載置された配線基板の被載置部を吸着することにより、配線基板を載置台により確実に固定することができる。
【発明の効果】
【００１４】
以上述べたように、本発明に係る配線基板固定治具によれば、載置台上において配線基板の位置がずれてしまうことを防止し、確実に配線基板を固定することができる。これにより、配線基板と電子機器との圧着時における配線基板の位置ずれ発生を防止することができ、配線基板と電子機器との接続不良を防止することができる。
【発明を実施するための最良の形態】
【００１５】
以下、本発明に係る配線基板固定治具の一実施形態を図１から図４を参照して説明する。ここで、本実施形態においては、配線基板固定治具を用いて固定する配線基板としてフレキシブル配線基板を用い、フレキシブル配線基板が接続される電子機器として表示パネルを用いて説明するが、本発明はこれに限定されるものではなく、種々の配線基板を固定することが可能である。
【００１６】
図１は、本実施形態に係る配線基板固定治具を示す模式的平面図、図２は、図１の配線基板固定治具のＡ−Ａにおける模式的断面図、図３は、図１の配線基板固定治具のＢ−Ｂにおける模式的断面図である。
【００１７】
図１に示すように、本実施形態に係る配線基板固定治具１により固定されるフレキシブル配線基板２は、表示パネル３の全周縁に対向するように表示パネル３を囲み、表示パネル３の端子部３ａに対向するフレキシブル配線基板２の端子部２ａが表示パネル３の端子部３ａに電気的に接続する形状とされている。
【００１８】
配線基板固定治具１は、フレキシブル配線基板２を載置する載置台５を有し、載置台５には、載置台５におけるフレキシブル配線基板２の一端部分を載置する載置部６が形成されている。ここで、本実施形態における配線基板固定治具１において、フレキシブル配線基板２を載置する一端側を前端とし、対向する反対側を後端として説明する。
【００１９】
載置部６には、図２に示すように、載置部６に載置されたフレキシブル配線基板２を載置部６に吸着する吸着口９が形成されている。吸着口９は、載置部６の下方に形成された吸引通路８に連通されており、吸引通路８は、載置台５の外部に至って図示しない吸引口とされ、真空ポンプ等に接続される。これにより、フレキシブル配線基板２を載置台５に吸着して固定する吸着機構が構成されている。この配線基板固定治具１においては、吸引口、吸引通路８を介して、吸着口９によって載置台５の載置部６とフレキシブル配線基板２との間に介在する空気を吸引することにより、フレキシブル配線基板２を載置台５の載置部６に吸着するようになっている。
【００２０】
また、載置台５におけるフレキシブル配線基板２が載置される上面側には、クランプ１０が配置されている。クランプ１０は、矩形状の操作部１０ａと、フレキシブル配線基板２における載置部６に載置された被載置部を押圧する一対の押圧部１０ｂと、操作部１０ａおよび各押圧部１０ｂを連結する連結部１０ｃとを有し、連結部１０ｃは、操作部１０ａの前端縁から延出し、または操作部１０ａの両側縁から突出するように形成されている。そして、クランプ１０は、載置部６に載置されたフレキシブル配線基板２の被載置部であってチップ部品等が実装されていない部分を、各押圧部１０ｂと載置部６とによって挟持するようになっている。
【００２１】
載置台５とクランプ１０との間には、クランプ１０から所定の間隙をもってクランプ１０に対向するスライダ１２が配設されており、スライダ１２は、図３に示すように、クランプ１０における操作部１０ａに対向して配置される基台１２ａと、基台１２ａの両側縁よりも中央よりに立設され、操作部１０ａの各側縁に沿って配設される支持部１２ｂとを有している。クランプ１０の操作部１０ａとスライダ１２の基台１２ａとの間には、クランプ１０をスライダ１２の基台１２とは逆方向に付勢する圧縮ばね１３が配設されている。
【００２２】
クランプ１０における操作部１０ａの前端部分には、中心軸となる回動軸１５が前端部分の両側面を貫通して固着されており、これにより、回動軸１５は、圧縮ばね１３よりも前端側であって各押圧部１０ｂと圧縮ばね１３との各配置位置の間に配置されている。また、回動軸１５は、その軸線がフレキシブル配線基板における被載置部の外縁に沿って配置されている。さらに、回動軸１５は、その両端部がスライダ１２の各支持部１２ｂの前端部分に貫通して回転可能に挿通されており、これにより、クランプ１０とスライダ１２とは連結されている。そして、クランプ１０は、支持部１２ｂによって支持された回動軸１５を中心軸として、連結部１０ｃおよび各押圧部１０ｂがフレキシブル配線基板２の被載置部に対して押圧可能に回動するようになっている。すなわち、クランプ１０は、何も操作していない状態において押圧可能な状態であり、すなわち圧縮ばね１３の付勢力によって各押圧部１０ｂによりフレキシブル配線基板２の被載置部を押圧するようになっている。そして、図４に示すように、操作部１０ａの後端部分が載置台５側に押圧されることにより、回動軸１５を中心軸として回動して被載置部への押圧力が開放状態となり、各押圧部１０ｂが載置部６から離間するようになっている。
【００２３】
載置台５上には、載置台５に載置されているフレキシブル配線基板２の被載置部に対してスライダ１２が水平方向に接離移動するのを案内するための案内部として案内溝１７が形成されており、案内溝１７には、スライダ１２の基台１２ａが接離移動可能に収納されている。そして、図５に示すように、スライダ１２の接離移動により、スライダ１２に連結されたクランプ１０は、載置台５の正面側をフレキシブル配線基板２の被載置部に対して水平方向に接離可能に移動するようになっている。
【００２４】
また、案内溝１７における載置部６側に立設されている側壁は、スライダ１２の前端部分が当接され、スライダ１２のフレキシブル配線基板２に近接する方向への移動位置を規制する前端ストッパ１８とされている。
【００２５】
載置台５上には、スライダ１２の基台１２ａにおける両側部分を被覆するスライダ用蓋１９が配設されており、スライダ用蓋１９は、スライダ１２の両側部分が位置しない部分において、スライダ用蓋１９の前端側および後端側にそれぞれ螺着されたボルト２０ａ、２０ｂによって載置台５に固定されている。また、スライダ用蓋１９の前端側を固定する各ボルト２０ｂの頭部は、スライダ１２の連結部１０ｃにおける後端縁に当接し、スライダ１２のフレキシブル配線基板２から離間する方向への移動位置を規制する後端ストッパ２１とされている。
【００２６】
本実施形態に係る配線基板固定治具１の近傍には、表示パネル３を載置するパネル載置台２３が配設されており、パネル載置台２３は、表示パネル３の端子部３ａを載置する端子載置部２３ａと、表示パネル３の表示領域を載置する表示領域載置部２３ｂとを有している。また、パネル載置台２３における端子載置部２３ａの上方には、表示パネル３の端子部３ａ上に導電接着材を介して載置されたフレキシブル配線基板２を表示パネル３側に押圧し、表示パネル３とフレキシブル配線基板２とを圧着する図示しない圧着バーが設けられている。
【００２７】
次に、本実施形態の作用について説明する。
【００２８】
本実施形態に係る配線基板固定治具１を用いてフレキシブル配線基板２を載置台５に固定するには、まず、クランプ１０を載置部６から離間する位置に移動させ、フレキシブル配線基板２の端子部２ａが、パネル載置台２３に載置された表示パネル３の端子部３ａに導電接着材を介して積層するように、フレキシブル配線基板２の被載置部を載置台５の載置部６に載置する。この状態において、操作部１０ａの後端部を載置台５側に押圧して回動軸１５を中心軸としてクランプ１０を回動させることにより、クランプ１０を開放状態とする。
【００２９】
次に、吸引通路８からフレキシブル配線基板２と載置部６との間の空気を吸引して、吸着口９によりフレキシブル配線基板２を載置台５に固定するとともに、操作部１０ａを前端側に押圧する。これにより、クランプ１０は、スライダ１２とともに案内溝１７に案内されて近接移動した後、スライダ１２の前端縁が前端ストッパ１８に当接して停止する。
【００３０】
続いて、操作部１０ａの後端部の押圧を解除すると、圧縮ばね１３の付勢力によりクランプ１０が回動軸１５を中心軸として回動して押圧状態となり、クランプ１０の各押圧部１０ｂによってフレキシブル配線基板２の被載置部を所定の圧力をもって押圧し、各押圧部１０ｂと載置部６とによりフレキシブル配線基板２を挟持することにより、フレキシブル配線基板２を載置台５に固定する。
【００３１】
そして、表示パネル３の端子部３ａにフレキシブル配線基板２を圧着した後、クランプ１０における操作部１０ａの後端部分を押圧してクランプ１０を押圧しない開放状態とし、操作部１０ａを後端側に押圧する。これにより、クランプ１０は、スライダ１２とともにフレキシブル配線基板２の被載置部から離間する位置に移動した後、連結部１０ｃの後端縁が前端側に配置された各ボルト２０ａに当接して停止する。この状態で、表示パネル３に圧着されたフレキシブル配線基板２を載置台５から取り外す。
【００３２】
このように、本実施形態によれば、クランプ１０をフレキシブル配線基板２の被載置部に対して近接移動し、載置台５上に載置されたフレキシブル配線基板２の被載置部をクランプ１０によって押圧することにより、クランプ１０と載置台５とによってフレキシブル配線基板２を挟持して、フレキシブル配線基板２を載置台５に確実に固定することができる。
【００３３】
したがって、載置台５上においてフレキシブル配線基板２の位置がずれてしまうことを防止し、確実にフレキシブル配線基板２を固定することができる。これにより、フレキシブル配線基板２と表示パネル３との圧着時におけるフレキシブル配線基板２の位置ずれ発生を防止することができ、フレキシブル配線基板２と表示パネル３との接続不良を防止することができる。
【００３４】
また、クランプ１０をスライダ１２に連結し、該スライダ１２を案内溝１７に案内させて載置部６に対して接離移動させることにより、スライダ１２とともにクランプ１０を載置部６に対して接離移動させることができるとともに、圧縮ばね１３の付勢力によってクランプ１０が回動軸１５を中心軸として押圧動作を行い、フレキシブル配線基板２を所定の圧力をもって押圧することができる。
【００３５】
さらに、前端ストッパ１８と後端ストッパ２１とによってクランプ１０の接離移動の位置を規制することにより、クランプ１０がフレキシブル配線基板２を確実に押圧することができるとともに、載置台５から外れてしまうのを防止することができる。
【００３６】
さらにまた、クランプ１０によってフレキシブル配線基板２を押圧するとともに、吸着口９によって載置台５に載置されたフレキシブル配線基板２を吸着することにより、フレキシブル配線基板２を載置台５により確実に固定することができる。
【００３７】
なお、本発明は前記実施形態に限定されるものではなく、必要に応じて種々変更することが可能である。
【００３８】
例えば、本実施形態においては、フレキシブル配線基板２を、吸着口９による吸着およびクランプ１０による押圧の併用によって載置台５上に固定するようになっているが、これに限定されず、クランプ１０による押圧することによってフレキシブル配線基板２を載置台５に固定されるものであればよい。
【００３９】
また、クランプ１０が接離移動および押圧回動するための構成は、本実施形態の構成に限定されるものではない。
【図面の簡単な説明】
【００４０】
【図１】本発明に係る配線基板固定治具の一実施形態を示す模式的平面図
【図２】図１の配線基板固定治具のＡ−Ａにおける模式的断面図
【図３】図１の配線基板固定治具のＢ−Ｂにおける模式的断面図
【図４】図２の配線基板固定治具におけるクランプの開放状態を示す模式的断面図
【図５】図１の配線基板固定治具におけるクランプの離間状態を示す模式的断面図
【符号の説明】
【００４１】
１  配線基板固定治具
２  フレキシブル配線基板
３  表示パネル
５  載置台
６  載置部
９  吸着口
１０  クランプ
１０ａ  操作部
１０ｂ  押圧部
１０ｃ  連結部
１２  スライダ
１２ａ  基台
１２ｂ  支持部
１３  圧縮ばね
１５  回動軸
１７  案内溝
１８  前端ストッパ
１９  スライダ用蓋
２０ａ、２０ｂ  ボルト
２１  後端ストッパ
【図１】
2008160036.tif 000003
【図２】
2008160036.tif 000004
【図３】
2008160036.tif 000005
【図４】
2008160036.tif 000006
【図５】
2008160036.tif 000007